(57)【特許請求の範囲】
【請求項１】
照射方向反対側端が構造部材に取り付けられる一対の取付部材と、
前記各取付部材の照射方向側端に取り付けられ、器具本体を保持する一対の取付金具と、
前記器具本体の照射方向反対側面に設けられて照射方向反対側に突出している突部と、を有し、
前記突部の長手方向長さが、前記一対の取付金具の最短間隔よりも大きく、
前記突部の長手方向両端面が、照射方向反対側に向かって長手方向中央側に傾斜している照明器具。
【請求項２】
請求項１に記載の照明器具において、
前記器具本体を前記取付金具に取り付ける際に前記突部の長手方向端面に当接する前記取付金具の接触面が、照射方向反対側に向かって長手方向中央側に傾斜している照明器具。
【発明の詳細な説明】
【技術分野】
【０００１】
本発明は、天井に設けられた取付穴に取り付けられる埋込型の照明器具に関するものである。
【背景技術】
【０００２】
従来より、天井に設けられた取付穴に取り付けられる埋込型の照明器具が知られている（例えば、特許文献１参照）。
図７に示すように、特許文献１に記載の照明器具１００は、天井１０１に設けられた取付穴１０２に取り付けられて使用される。照明器具１００は、下方に開口した矩形箱状の器具本体１０３を有し，内部に光源である蛍光ランプが装着される。器具本体１０３の天板１０４の上には器具本体取付金具１０５が設けられており、上端が天井裏の構造部材に取り付けられた一対の取付ボルト１０６を器具本体取付金具１０５に設けられているネジ穴１０８に挿通し、ナット１０７を締結して器具本体１０３を吊り下げ支持する。
【先行技術文献】
【特許文献】
【０００３】
【特許文献１】特開平８−２９３２１０号公報（第２図）
【発明の概要】
【発明が解決しようとする課題】
【０００４】
ところで、前述したような全体が細長い照明器具１００においては、器具本体１０３を取り付けるために、天井裏の構造部材に取り付けられて長手方向に２本配置された取付ボルト１０６を用いるのが一般的である。
しかしながら、２本の取付ボルト１０６の間隔および鉛直度が必ずしも高精度で施工されない場合がある。
このような場合には、取付ボルト１０６をネジ穴１０８に通すのが容易ではなく、照明器具の取付が困難になるという問題があった。
【０００５】
本発明は、従来の問題を解決するためになされたもので、取付ボルトの施工精度が良くない場合でも取付ボルトに容易に取り付けることができる照明器具を提供することを目的とする。
【課題を解決するための手段】
【０００６】
本発明の照明器具は、照射方向反対側端が構造部材に取り付けられる一対の取付部材と、各取付部材の照射方向側端に取り付けられ、器具本体を保持する一対の取付金具と、器具本体の照射方向反対側面に設けられて照射方向反対側に突出している突部と、を有し、突部の長手方向長さが、一対の取付金具の最短間隔よりも大きく、突部の長手方向両端面が、照射方向反対側に向かって長手方向中央側に傾斜しているものである。
【０００８】
また、本発明の照明器具は、器具本体を取付金具に取り付ける際に突部の長手方向端面に当接する取付金具の接触面が、照射方向反対側に向かって長手方向中央側に傾斜しているものである。
【発明の効果】
【００１０】
本発明は、器具本体の照射方向反対側面に設けられて照射方向反対側に突出している突部の長手方向長さが、一対の取付金具の最短間隔よりも大きく設定されているので、器具本体を取付金具に取り付ける際に、突部が取付金具を離反する方向へ移動させて取付金具の間隔を調整しながら取り付けることになる。このため、一対の取付部材の取付精度が低く、取付金具が所定の間隔にない場合でも、容易に器具本体を取付金具に取り付けることができるという効果を有する照明器具を提供できる。
【図面の簡単な説明】
【００１１】
【図１】本発明に係る第１実施形態の照明器具の分解斜視図
【図２】取付金具および器具本体の斜視図
【図３】器具本体を取付金具に取り付ける状態を示す斜視図
【図４】本発明に係る第２実施形態の照明器具における器具本体の斜視図
【図５】（Ａ）は本発明に係る第３実施形態の照明器具における取付金具を下方から見た斜視図，（Ｂ）は取付金具の側面図
【図６】本発明に係る第４実施形態の照明器具の斜視図
【図７】従来の照明器具の断面図
【発明を実施するための形態】
【００１２】
（第１実施形態）
以下、本発明に係る第１実施形態の照明器具について、図面を用いて説明する。
図１に示すように、本発明に係る実施形態の照明器具１０は、天井材１１に設けられた取付穴１２に埋め込まれて使用される埋込式のものである。
照明器具１０は、天井材１１の照射方向反対側である裏側（図１において上側）の構造部材（図示省略）に上端が固定される取付部材としての一対の取付用ボルト３１を有しており、取付用ボルト３１の下端には後述する器具本体２０を係止する取付金具３０が取り付けられる。
【００１３】
図２および図３に示すように、取付金具３０は、上板３２と、対向する一対の側板３３，３４とからなる下方が開口した全体コ字状を呈している。上板３２は、側板３３，３４よりも照明器具１０の長手方向中央側に長く延びて延長部３２１を形成しており、この延長部３２１に取付用ボルト３１により係止される貫通穴３２２を有する。上板３２の長手方向外側端部には、後述する灯具取付バネ２３用の切欠３２３が設けられている。各側板３３，３４の下端部は外向きに折り曲げられて係止部３５が形成されており、両側板３３，３４は、鉛直下方よりも互いに接近する方向すなわち各係止部３５が接近する方向に付勢されている。
なお、以下において、「長手方向中央（側）」とは、照明器具１０の長手方向中央（側）を意味し、「長手方向端部（側）」とは、照明器具１０における両端（側）を意味する。
【００１４】
また、取付金具３０の長手方向外側端部の内部には、高さ方向中央位置に押さえ板３６が取り付けられている。押さえ板３６には、灯具取付バネ２３を係止する切欠３６１が設けられている。
なお、図３に示すように、一対の取付金具３０の最短間隔はＬ１となっている。ここで、最短間隔とは、取付金具３０を取付用ボルト３１に取り付けて外力が作用していない状態（図３中、二点鎖線で表示）で、両取付金具３０の最も近い部位の距離をいい、上板３２の延長部３２１の先端面３２３間の距離を言う。
【００１５】
図２および図３に示すように、器具本体２０は、反射板２１と、反射板２１の内部に装着される灯具２２を有する。反射板２１は、取付金具３０の内部に保持されるものであり、下方へ開口した断面コ字状の細長い部材である。反射板２１の幅は、取付金具３０の上板３２の幅よりも若干小さめとなっている。
従って、反射板２１を取付金具３０の両側板３３，３４間に押し込んで、両側板３３，３４の付勢力により挟んで保持する。
【００１６】
反射板２１の天板２１１の上の長手方向中央部には、光源に点灯用の電力を供給する電源ブロックを収容した矩形箱状の突部２５が設けられている。突部２５の長手方向長さはＬ２であり、長手方向長さＬ２は、前述した取付金具３０の最短間隔Ｌ１よりも大きくなっている。
【００１７】
反射板２１の天板２１１の長手方向両端部には、灯具２２から上方へ突出して設けられている灯具取付バネ２３を上方へ突出させるための係止穴２１２が設けられている。この係止穴２１２は、取付金具３０の押さえ板３６に設けられている切欠３６１の下側に位置する。
【００１８】
灯具２２は、樹脂製の矩形断面を有する細長い箱状部材であり、内部には光源として、例えば長手方向に所定間隔で複数のＬＥＤパッケージ（図示省略）が下向きに設けられている。灯具２２の上面には、灯具２２を反射板２１に取り付けるための灯具取付バネ２３が設けられている。灯具取付バネ２３は一対のアーム２３１，２３１を有しており、両アーム２３１，２３１は、互いに離反する方向へ付勢されている。各アーム２３１，２３１の先端には、係止部２３２が設けられている。
なお、灯具２２の照射方向前方（すなわち、下方）である灯具２２の下面には、上下方向のルーバー２４が所定間隔で平行に設けられている。
【００１９】
照明器具１０を天井材１１の取付穴１２に取り付ける際には、まず、取付金具３０を取付用ボルト３１の下端に取り付ける。
一方、灯具２２を反射板２１に取り付ける。すなわち、灯具取付バネ２３のアーム２３１，２３１の係止部２３２を近付ける方向へ指でつまんで弾性変形させ、係止部２３２から反射板２１の係止穴２１２に通す。その後、指を放すと、アーム２３１の弾性力により灯具２２は反射板２１に取り付けられる。
【００２０】
次に、器具本体２０を取付金具３０の側板３３，３４間に押し込んで、器具本体２０を取付金具３０に取り付ける（図３中矢印Ａ）。この際、器具本体２０の天板２１１に取り付けられている突部２５の長手方向長さＬ２が、一対の取付金具３０，３０の最短間隔Ｌ１よりも大きいので、突部２５は取付金具３０を図３中矢印Ｂへ移動させて一対の取付金具３０，３０の間隔を調整する。これにより、取付金具３０は器具本体２０を挟んで保持する。
【００２１】
なお、灯具２２を反射板２１から取り外す際には、器具本体２０を取付金具３０から取り外した後、灯具取付バネ２３の係止部２３２が反射板２１の係止穴２１２に係止されるまで灯具２２を下方へ引き下げ、一旦係止する。その後、灯具取付バネ２３のアーム２３１を指でつまんで両係止部２３２を接近させ、反射板２１の係止穴２１２から引き抜く。
【００２２】
以上、説明した本発明に係る第１実施形態の照明器具１０によれば、照射方向反対側端が構造部材に取り付けられた一対の取付用ボルト３１の照射方向側端に取付金具３０を取り付け、この取付金具３０により器具本体２０を保持する。このとき、器具本体２０の照射方向反対側面に設けられて照射方向反対側に突出している突部２５の長手方向長さＬ２が、一対の取付金具３０の最短間隔Ｌ１よりも大きく設定されているので、器具本体２０を取付金具３０に取り付ける際に、突部２５が取付金具３０を離反する方向へ移動させて取付金具３０の間隔を調整しながら取り付けることになる。
このため、一対の取付用ボルト３１の取付精度が低く、取付金具３０が所定の間隔に取り付けられていない場合でも、容易に器具本体２０を取付金具３０に取り付けることができる。
【００２３】
（第２実施形態）
次に、本発明に係る第２実施形態の照明器具について説明する。なお、前述した第１実施形態にかかる照明器具と共通する部位には同じ符号を付して、重複する説明を省略することとする。
【００２４】
図４に示すように、第２実施形態の照明器具１０Ｂでは、反射板２１の天板２１１の上の長手方向中央部に設けられた突部２５Ｂの長手方向両端面２５１，２５２が、照射方向反対側（図４中上側）に向かって、長手方向中央側に傾斜している。
すなわち、突部２５は、上辺が短く、側面が上方に向かって長手方向中央側に傾斜した台形である。
【００２５】
以上、説明した本発明に係る第２実施形態の照明器具１０Ｂによれば、突部２５Ｂの長手方向両端面２５１，２５２が、照射方向反対側に向かって長手方向中央側に傾斜している。このため、器具本体２０Ｂを一対の取付金具３０，３０に取り付ける際に、突部２５Ｂを一対の取付金具３０，３０の間に押し込むことにより、一対の取付金具３０，３０は突部２５Ｂの長手方向両端面２５１，２５２の傾斜に従って離反する方向へ移動させられて間隔が調整される。
これにより、一対の取付用ボルト３１の取付精度が低く、取付金具３０が所定の間隔より狭い場合でも、容易に器具本体２０Ｂを取付金具３０に取り付けることができる。
【００２６】
（第３実施形態）
次に、本発明に係る第３実施形態の照明器具について説明する。なお、前述した第１実施形態および第２実施形態にかかる照明器具と共通する部位には同じ符号を付して、重複する説明を省略することとする。
【００２７】
図５に示すように、第３実施形態の照明器具１０Ｃでは、取付金具３０Ｃの延長部３２１の先端を下方に折り曲げて、器具本体２０を取付金具３０Ｃに取り付ける際に、突部２５の長手方向端面に当接する接触面３２４を形成している。接触面３２４は、照射方向反対側（図５中上方）に向かって長手方向中央側に傾斜している。言い換えれば、接触面３２４の上端３２５は、下端３２６よりも先端側に突出している。
【００２８】
以上、説明した本発明に係る第３実施形態の照明器具１０Ｃによれば、器具本体２０を取付金具３０Ｃに取り付ける際に、突部２５の長手方向端面に当接する取付金具３０Ｃの接触面３２４が、照射方向反対側に向かって長手方向中央側に傾斜しているので、一対の取付金具３０Ｃ，３０Ｃの間に突部２５を押し込むことにより、一対の取付金具３０Ｃ，３０Ｃは接触面３２４の傾斜によって離反する方向へ移動させられて間隔が調整される。
これにより、一対の取付用ボルト３１，３１の取付精度が低く、取付金具３０Ｃ，３０Ｃが所定の間隔より狭い場合でも、容易に器具本体２０を取付金具３０Ｃに取り付けることができる。
【００２９】
なお、ここでは、第１実施形態の器具本体２０を用いた場合について説明したが、第２実施形態の器具本体２０Ｂを用いることもできる。すなわち、突部２５Ｂの両端面２５１，２５２が傾斜している場合にも適用できる。
【００３０】
（第４実施形態）
次に、本発明に係る第４実施形態の照明器具について説明する。なお、前述した第１実施形態にかかる照明器具ないし第３実施形態にかかる照明器具と共通する部位には同じ符号を付して、重複する説明を省略することとする。
【００３１】
図６に示すように、第４実施形態の照明器具１０Ｄでは、器具本体２０Ｄの照射方向反対側面の長手方向両端部付近に設けられて照射方向反対側に突出している一対の係止突部２６，２６と、を有し、一対の取付金具３０，３０の外側端距離Ｌ３が、一対の係止突部２６，２６の最短間隔Ｌ４よりも大きいものである。
なお、器具本体２０Ｄの上面の長手方向中央部の突部２５がある場合でも適用可能である。この場合には、長手方向中央部に取り付けられている突部２５の長手方向長さＬ２を、一対の取付金具３０，３０の最短間隔Ｌ１よりも小さくして、取付金具３０が長手方向中央側へ移動可能となるようにする（図３参照）。
【００３２】
以上、説明した本発明に係る第４実施形態の照明器具１０Ｄによれば、一対の取付金具３０，３０の外側端距離Ｌ３が、器具本体２０Ｄの照射方向反対側面の長手方向両端部付近に設けられて照射方向反対側に突出している一対の係止突部２６，２６の最短間隔Ｌ４よりも大きいので、器具本体２０Ｄを取付金具３０に取り付ける際に、両係止突部２６，２６が一対の取付金具３０，３０を接近する方向へ移動させて取付金具３０の間隔を調整しながら取り付けることになる。
このため、一対の取付用ボルト３１，３１の取付精度が低く、取付金具３０が所定の間隔よりも広い場合でも、容易に器具本体２０Ｄを取付金具３０に取り付けることができる。
【００３３】
なお、本発明の照明器具は、前述した各実施形態に限定されるものでなく、適宜な変形，改良等が可能である。
例えば、前述した各実施形態においては、灯具２２に設ける光源としてＬＥＤパッケージを用いた例を示したが、そのほか、例えば直管型の蛍光ランプ等を使用することも可能である。
【００３４】
また、第１実施形態ないし第３実施形態では，取付金具３０，３０Ｃが所定の間隔よりも近く設定されている場合について示し、第４実施形態においては，取付金具３０，３０Ｃの間隔が広い場合について説明したが、第１実施形態ないし第３実施形態のいずれかと第４実施形態を併用することにより、取付金具３０，３０Ｃの間隔の大小にかかわらず、器具本体２０，２０Ｂ，２０Ｄを取付金具３０，３０Ｃに容易に取り付けることができる。
【符号の説明】
【００３５】
１０，１０Ｂ，１０Ｃ，１０Ｄ  照明器具
２０，２０Ｂ，２０Ｄ  器具本体
２５，２５Ｂ  突部
２５１，２５２  長手方向両端面
２６  係止突部
３０，３０Ｃ  取付金具
３１  取付用ボルト（取付部材）
３２４  接触面
Ｌ１  取付金具の最短間隔
Ｌ２  突部の長手方向長さ
Ｌ３  取付金具の外側端距離
Ｌ４  係止突部の最短間隔
【図１】
0005562159.tif 000002
【図２】
0005562159.tif 000003
【図３】
0005562159.tif 000004
【図４】
0005562159.tif 000005
【図５】
0005562159.tif 000006
【図６】
0005562159.tif 000007
【図７】
0005562159.tif 000008